【手続補正書】
【提出日】平成29年3月23日(2017.3.23)
【手続補正１】
【補正対象書類名】特許請求の範囲
【補正対象項目名】全文
【補正方法】変更
【補正の内容】
【特許請求の範囲】
【請求項１】
腕時計のストラップと、
トップカバー、主回路、バッテリ、及びボトムカバーを含む前記腕時計の本体と、
を有するスマートウォッチであって、
前記主回路は、電話機能モジュール、マイクロホンモジュール、記録モジュール、スピーカーモジュール、CPUモジュール、制御回路モジュール、GPSモジュール、ストレージモジュール、近距離無線通信モジュール、加速度計センサーモジュール、モーターモジュール、ヘッドフォンジャックモジュール、コネクタモジュール、及び温度センサーモジュールを含み、
前記スマートウォッチは、1つ以上の携帯電話に繋がり、
前記腕時計の本体は、1つ以上のダイヤルアップボタンも含み、各々の前記ダイヤルアップボタンは、1つの対応する電話番号をダイヤルするように構成されており、
前記近距離無線通信モジュールがオフ状態であるとき、又は、近距離無線通信信号の値が設定値未満であるとき、前記スマートウォッチはアラームを鳴らし、
前記スマートウォッチの地理的位置が設定範囲外であるとき、前記スマートウォッチはアラームを鳴らし、
前記スマートウォッチの前記加速度計センサーモジュールが設定値を超えた値を検出しているとき、前記スマートウォッチはアラームを鳴らし、
前記スマートウォッチの前記温度センサーモジュールが設定値範囲を超えた値を検出しているとき、前記スマートウォッチはアラームを鳴らす、
スマートウォッチ。
【請求項２】
前記スマートウォッチが携帯電話に繋がるとき、前記スマートウォッチ及び前記携帯電話は、対応比較表を生成し、
前記対応比較表は、前記スマートウォッチ及び前記携帯電話に保存され、または、通信会社のサーバーに保存され、または、スマートウォッチ会社のサーバーに保存され、前記スマートウォッチ、前記携帯電話、及び前記サーバーは、前記対応比較表に基づいて、接続のセキュリティを検出し、
異なるタイプの情報によって、異なる検出基準が設定され、いくつかのタイプの情報は、検出されずに直接送信され、いくつかのタイプの情報は、前記スマートウォッチ、前記携帯電話、前記サーバーのいずれか1つによって検出され、いくつかのタイプの情報は、前記スマートウォッチ、前記携帯電話、及び前記サーバーの2つによって検出され、いくつかのタイプの情報は、前記スマートウォッチ、前記携帯電話、及び前記サーバーの3つによって検出され、
前記スマートウォッチの検出機能モジュールは、前記制御回路モジュールの内部にあり、前記携帯電話の検出機能モジュールは、前記携帯電話機内のスマートウォッチ・アプリケーション・ソフトウェア内にある、
請求項１に記載のスマートウォッチ。
【請求項３】
前記携帯電話は、次の（１）〜（７）を目的として前記スマートウォッチに制御情報を送信するように構成されているアプリケーションソフトを含み、
（１）前記近距離無線通信モジュールをオン状態又はオフ状態にする、
（２）前記GPSモジュールをオン状態又はオフ状態にする、
（３）GPS位置情報を確認する、
（４）前記電話機能モジュールをオン状態又はオフ状態にする、
（５）前記マイクロホンモジュール及び前記記録モジュールをオン状態にする、
（６）前記モーターモジュールをオン状態又はオフ状態にする、
（７）振動振幅、振動周波数、振動方向及び音量調整の指示、前記スマートウォッチのバッテリ電力を確認するための指示、前記加速度計センサーモジュールをオン状態又はオフ状態にするための指示、前記温度センサーモジュールをオン状態又はオフ状態にするための指示、温度情報を確認するための指示、又は繋がっている携帯電話に情報を送るための指示を送る、
前記制御情報は、GPS位置情報と、前記電話機能モジュールの信号に基づいて計算された位置情報と、バッテリ電力情報と、マイクロホン記録内容情報と、加速度計センサー情報と、振動振幅情報、振動周波数情報、及び振動方向情報を含むモーター振動情報と、温度センサー情報と、を含む、
請求項１に記載のスマートウォッチ。
【請求項４】
前記温度センサーモジュールは、前記ボトムカバー上に又は前記腕時計のストラップ上にあり、前記温度センサーモジュールが設定値を超えた値を検出しているとき、前記スマートウォッチと前記スマートウォッチに繋がっている前記携帯電話との両方がアラームを鳴らす、
請求項１に記載のスマートウォッチ。
【請求項５】
前記携帯電話によって遠隔制御可能な1つ以上のインジケータライトをさらに含む、
請求項１に記載のスマートウォッチ。
【請求項６】
前記近距離無線通信モジュールは、Bluetooth（登録商標）モジュールを含み、前記スマートウォッチと前記スマートウォッチに繋がっている前記携帯電話とがBluetooth接続を設定した後、又は、前記スマートウォッチと前記スマートウォッチに繋がっている前記携帯電話とがBluetooth接続の切断を検出した場合、又は、前記スマートウォッチと前記スマートウォッチに繋がっている前記携帯電話とが設定値未満であるBluetooth信号の値を検出した場合、前記スマートウォッチと前記スマートウォッチに繋がっている前記携帯電話との両方がアラームを鳴らし、
前記スマートウォッチがBluetoothの物理スイッチを有する場合は、前記スマートウォッチと前記スマートウォッチに繋がっている前記携帯電話とがBluetooth接続を設定するとき、前記Bluetoothの物理スイッチが自動的に有効性を失い、
前記携帯電話がBluetoothのオフを許可する指令を前記スマートウォッチに送る場合は、前記Bluetoothの物理スイッチが機能し、
前記携帯電話が自己のBluetoothをオフにし、自己のBluetoothをオフにしたという情報を前記スマートウォッチに送る場合は、前記Bluetoothの物理スイッチが機能する、
請求項１に記載のスマートウォッチ。
【請求項７】
前記スマートウォッチは、リアルタイムに前記GPSモジュールを介して前記携帯電話に自己の地理的位置情報を送信するように構成されており、前記携帯電話は、前記リモートスマートウォッチの現在位置を遠くで表示し、前記スマートウォッチの地理的位置が設定範囲外であるとき、前記スマートウォッチと前記スマートウォッチに繋がっている前記携帯電話との両方がアラームを鳴らす、
請求項１に記載のスマートウォッチ。
【請求項８】
前記加速度計センサーモジュールの変化値が設定値を超えているとき、前記スマートウォッチと前記スマートウォッチに繋がっている前記携帯電話との両方がアラームを鳴らす、
請求項１に記載のスマートウォッチ。
【請求項９】
前記スマートウォッチはスクリーンを持っていない、又は、前記スマートウォッチは黒白非タッチスクリーン、電子ペーパー、カラースクリーン、若しくはカラータッチスクリーンを備える、
請求項１に記載のスマートウォッチ。
【請求項１０】
前記モーターモジュールは、前記スマートウォッチに繋がっている前記携帯電話の指令を受け入れ、所定の周波数で振動し、所定の振幅で振動し、所定の方向に振動するように構成されている、又は、
前記モーターモジュールは、前記スマートウォッチに繋がっている前記携帯電話のモーターをフィードバック制御し、前記スマートウォッチに繋がっている前記携帯電話の振動周波数、振動振幅、及び振動方向を制御するように構成されている、
請求項１に記載のスマートウォッチ。
【請求項１１】
前記制御回路モジュールは、前記主回路に含まれる他のモジュールのオン／オフを制御するように構成されており、
前記スマートウォッチに繋がっている前記携帯電話のソフトウェアは、前記他のモジュールそれぞれのオン／オフを指示するコマンドを前記制御回路モジュールに送り、前記制御回路モジュールは、前記スマートウォッチの前記他のモジュールをオン状態又はオフ状態にする、
請求項１に記載のスマートウォッチ。
【請求項１２】
前記スマートウォッチはタイムキーピングボタンを含み、前記タイムキーピングボタンが押されているとき、又は、前記スマートウォッチはスピーカーを介して音声で時間を自動的に報告し、前記音声は、時間、日付、及び曜日を報告する、又は、
2つのダイヤルアップボタンが一緒に押されているとき、前記音声が時間、日付、及び曜日を報告する、
請求項１に記載のスマートウォッチ。
【請求項１３】
前記スマートウォッチの電源スイッチは、前記ボトムカバーの後ろ側にある、
請求項１に記載のスマートウォッチ。
【請求項１４】
前記スマートウォッチは、三軸ジャイロスコープをさらに含む、
請求項１に記載のスマートウォッチ。
【請求項１５】
前記スマートウォッチは、前記トップカバー上に又は前記腕時計のストラップ上に太陽電池モジュールをさらに含む、
請求項１に記載のスマートウォッチ。
【請求項１６】
前記スマートウォッチは、無線ホットスポットの機能を有し、前記スマートウォッチの前記電話機能モジュールの信号を無線WiFi信号に変換する無線WiFiモジュールをさらに含む、
請求項１に記載のスマートウォッチ。
【請求項１７】
前記制御回路モジュールは、他の機能を有する複数のモジュールに接続されており、「オン信号」と「オフ信号」の信号線は、前記他の機能を有する複数のモジュールの電源回路のスイッチ回路に接続されている、
請求項１に記載のスマートウォッチ。
【請求項１８】
前記近距離無線通信モジュールは、無線通信技術を含み、前記無線通信技術は、Bluetooth、WiFi、超音波、又は高周波を含む、
請求項１に記載のスマートウォッチ。
【請求項１９】
前記制御回路モジュールは、選択された条件下で自動的にプログラムを実行するように構成されている、
請求項１に記載のスマートウォッチ。
【請求項２０】
前記スマートウォッチは、記録ボタンを含む、
請求項１に記載のスマートウォッチ。